【手続補正書】
【提出日】平成16年10月28日(2004.10.28)
【手続補正１】
【補正対象書類名】明細書
【補正対象項目名】特許請求の範囲
【補正方法】変更
【補正の内容】
【特許請求の範囲】
【請求項１】
被帯電体を帯電するための帯電部材及び該帯電部材に帯電電圧を印加する電源を有する帯電装置において、
前記電源は、周波数が変化するＡＣ電圧を前記帯電部材に印加することを特徴とする帯電装置。
【請求項２】
前記帯電部材は前記被帯電体に対して接触していることを特徴とする請求項１に記載の帯電装置。
【請求項３】
前記電源は、ＤＣ電圧が前記ＡＣ電圧に重畳された電圧を前記帯電部材に印加することを特徴とする請求項１又は請求項２に記載の帯電装置。
【請求項４】
前記電源は、所定周波毎に前記周波数が変化する前記ＡＣ電圧を前記帯電部材に印加することを特徴とする請求項１又は請求項３に記載の帯電装置。
【請求項５】
前記周波数は、ランダムに変化することを特徴とする請求項４に記載の帯電装置。
【請求項６】
前記所定周波は、１〜２００であることを特徴とする請求項５に記載の帯電装置。
【請求項７】
１００〜１００ｋＨｚの範囲内で前記周波数が変化することを特徴とする請求項１〜６のいずれか１項に記載の帯電装置。
【請求項８】
一定周波数の出現比率は、単位時間内で一定であることを特徴とする請求項１〜７のいずれか１項に記載の帯電装置。
【請求項９】
前記出現比率は、高周波数ほど低いことを特徴とする請求項８に記載の帯電装置。
【請求項１０】
被除電体を除電するための除電部材及び該除電部材にＡＣ電圧を印加する電源を有する除電装置において、
前記電源は、周波数が変化するＡＣ電圧を前記除電部材に印加することを特徴とする除電装置。
【請求項１１】
前記除電部材は前記被除電体に接触していることを特徴とする請求項１０に記載の除電装置。
【請求項１２】
前記電源は、所定周波毎に前記周波数が変化する前記ＡＣ電圧を前記除電部材に印加することを特徴とする請求項１０に記載の除電装置。
【請求項１３】
前記周波数はランダムに変化することを特徴とする請求項１０又は請求項１２に記載の除電装置。
【請求項１４】
前記所定周波は、１〜２００であることを特徴とする請求項１２に記載の除電装置。
【請求項１５】
１００〜１００ｋＨｚの範囲内で前記周波数が変化することを特徴とする請求項１０〜１４のいずれか１項に記載の除電装置。
【請求項１６】
一定周波数の出現比率は、単位時間内で一定であることを特徴とする請求項１０〜１５のいずれか１項に記載の除電装置。
【請求項１７】
前記出現比率は、高周波数ほど低いことを特徴とする請求項１６に記載の除電装置。
【請求項１８】
感光体、請求項１〜９のいずれか１項に記載の帯電装置からなる帯電手段、露光手段、現像手段及び転写手段を有することを特徴とする画像形成装置。
【請求項１９】
感光体、帯電手段、露光手段、現像手段及び請求項１〜９のいずれか１項に記載の帯電装置からなる転写手段を有することを特徴とする画像形成装置。
【請求項２０】
請求項１０〜１７のいずれか１項に記載の除電装置を有することを特徴とする画像形成装置。
【請求項２１】
トナー像を担持する中間転写体及び該中間転写体から記録材にトナー像を転写する転写手段を有し、該転写手段は請求項１〜９のいずれか１項に記載の帯電装置からなることを特徴とする画像形成装置。
【請求項２２】
トナーを担持する中間転写体及び該中間転写体を除電する除電手段を有し、該除電手段は、請求項１０〜１７のいずれか１項に記載の除電装置からなることを特徴とする画像形成装置。
【手続補正２】
【補正対象書類名】明細書
【補正対象項目名】０００８
【補正方法】変更
【補正の内容】
【０００８】
１．被帯電体を帯電するための帯電部材及び該帯電部材に帯電電圧を印加する電源を有する帯電装置において、
前記電源は、周波数が変化するＡＣ電圧を前記帯電部材に印加することを特徴とする帯電装置。
２．前記帯電部材は前記被帯電体に対して接触していることを特徴とする前記１に記載の帯電装置。
【手続補正３】
【補正対象書類名】明細書
【補正対象項目名】０００９
【補正方法】変更
【補正の内容】
【０００９】
３．前記電源は、ＤＣ電圧が前記ＡＣ電圧に重畳された電圧を前記帯電部材に印加することを特徴とする前記１又は前記２に記載の帯電装置。
【手続補正４】
【補正対象書類名】明細書
【補正対象項目名】００１０
【補正方法】変更
【補正の内容】
【００１０】
４．前記電源は、所定周波毎に前記周波数が変化する前記ＡＣ電圧を前記帯電部材に印加することを特徴とする前記１又は前記３に記載の帯電装置。
【手続補正５】
【補正対象書類名】明細書
【補正対象項目名】００１１
【補正方法】変更
【補正の内容】
【００１１】
５．前記周波数は、ランダムに変化することを特徴とする前記４に記載の帯電装置。
【手続補正６】
【補正対象書類名】明細書
【補正対象項目名】００１２
【補正方法】変更
【補正の内容】
【００１２】
６．前記所定周波は、１〜２００であることを特徴とする前記５に記載の帯電装置。
【手続補正７】
【補正対象書類名】明細書
【補正対象項目名】００１３
【補正方法】変更
【補正の内容】
【００１３】
７．１００〜１００ｋＨｚの範囲内で前記周波数が変化することを特徴とする前記１〜６のいずれか１項に記載の帯電装置。
【手続補正８】
【補正対象書類名】明細書
【補正対象項目名】００１４
【補正方法】変更
【補正の内容】
【００１４】
８．一定周波数の出現比率は、単位時間内で一定であることを特徴とする前記１〜７のいずれか１項に記載の帯電装置。
【手続補正９】
【補正対象書類名】明細書
【補正対象項目名】００１５
【補正方法】変更
【補正の内容】
【００１５】
９．前記出現比率は、高周波数ほど低いことを特徴とする前記８に記載の帯電装置。
【手続補正１０】
【補正対象書類名】明細書
【補正対象項目名】００１６
【補正方法】変更
【補正の内容】
【００１６】
１０．被除電体を除電するための除電部材及び該除電部材にＡＣ電圧を印加する電源を有する除電装置において、
前記電源は、周波数が変化するＡＣ電圧を前記除電部材に印加することを特徴とする除電装置。
１１．前記除電部材は前記被除電体に接触していることを特徴とする前記１０に記載の除電装置。
【手続補正１１】
【補正対象書類名】明細書
【補正対象項目名】００１７
【補正方法】変更
【補正の内容】
【００１７】
１２．前記電源は、所定周波毎に前記周波数が変化する前記ＡＣ電圧を前記除電部材に印加することを特徴とする前記１０に記載の除電装置。
【手続補正１２】
【補正対象書類名】明細書
【補正対象項目名】００１８
【補正方法】変更
【補正の内容】
【００１８】
１３．前記周波数はランダムに変化することを特徴とする前記１０又は前記１２に記載の除電装置。
【手続補正１３】
【補正対象書類名】明細書
【補正対象項目名】００１９
【補正方法】変更
【補正の内容】
【００１９】
１４．前記所定周波は、１〜２００であることを特徴とする前記１２に記載の除電装置。
【手続補正１４】
【補正対象書類名】明細書
【補正対象項目名】００２０
【補正方法】変更
【補正の内容】
【００２０】
１５．１００〜１００ｋＨｚの範囲内で前記周波数が変化することを特徴とする前記１０〜１４のいずれか１項に記載の除電装置。
【手続補正１５】
【補正対象書類名】明細書
【補正対象項目名】００２１
【補正方法】変更
【補正の内容】
【００２１】
１６．一定周波数の出現比率は、単位時間内で一定であることを特徴とする請求項１０〜１５のいずれか１項に記載の除電装置。
【手続補正１６】
【補正対象書類名】明細書
【補正対象項目名】００２２
【補正方法】変更
【補正の内容】
【００２２】
１７．前記出現比率は、高周波数ほど低いことを特徴とする前記１６に記載の除電装置。
【手続補正１７】
【補正対象書類名】明細書
【補正対象項目名】００２３
【補正方法】変更
【補正の内容】
【００２３】
１８．感光体、前記１〜９のいずれか１項に記載の帯電装置からなる帯電手段、露光手段、現像手段及び転写手段を有することを特徴とする画像形成装置。
【手続補正１８】
【補正対象書類名】明細書
【補正対象項目名】００２４
【補正方法】変更
【補正の内容】
【００２４】
１９．感光体、帯電手段、露光手段、現像手段及び前記１〜９のいずれか１項に記載の帯電装置からなる転写手段を有することを特徴とする画像形成装置。
【手続補正１９】
【補正対象書類名】明細書
【補正対象項目名】００２５
【補正方法】変更
【補正の内容】
【００２５】
２０．前記１０〜１７のいずれか１項に記載の除電装置を有することを特徴とする画像形成装置。
【手続補正２０】
【補正対象書類名】明細書
【補正対象項目名】００２６
【補正方法】変更
【補正の内容】
【００２６】
２１．トナー像を担持する中間転写体及び該中間転写体から記録材にトナー像を転写する転写手段を有し、該転写手段は前記１〜９のいずれか１項に記載の帯電装置からなることを特徴とする画像形成装置。
【手続補正２１】
【補正対象書類名】明細書
【補正対象項目名】００２７
【補正方法】変更
【補正の内容】
【００２７】
２２．トナーを担持する中間転写体及び該中間転写体を除電する除電手段を有し、該除電手段は、前記１０〜１７のいずれか１項に記載の除電装置からなることを特徴とする画像形成装置。
【手続補正２２】
【補正対象書類名】明細書
【補正対象項目名】００４１
【補正方法】変更
【補正の内容】
【００４１】
【発明の効果】
前記１〜７の発明のいずれかにより、帯電の際に発生する耳障りな騒音の発生が効果的に防止される。
【手続補正２３】
【補正対象書類名】明細書
【補正対象項目名】００４２
【補正方法】変更
【補正の内容】
【００４２】
前記８又は１６の発明により、安定した騒音防止効果が得られる。
前記９又は１７の発明により、更に効果的に騒音の発生が防止される。
【手続補正２４】
【補正対象書類名】明細書
【補正対象項目名】００４３
【補正方法】変更
【補正の内容】
【００４３】
前記１０〜１７の発明のいずれかにより、除電の際に発生する耳障り騒音の発生が効果的に防止される。
【手続補正２５】
【補正対象書類名】明細書
【補正対象項目名】００４４
【補正方法】変更
【補正の内容】
【００４４】
前記１８〜２２の発明のいずれかにより、耳障りな騒音の発生が低コストで効果的に防止された画像形成装置が実現される。